(57)【要約】【課題】薄型化することで携帯性が良く、また、携帯機の交換用電池を収納することができるカード型収納ケースを提供する。【解決手段】カード型収納ケース１は、樹脂によって形成され、全体に曲面が形成された本体１０と、交換用電池３の形状に基づいて本体１０に形成された第１の収納部１１と、スペーサー４の形状に基づいて本体１０に形成された第２の収納部１２と、エマージェンシーキー２の形状に基づいて本体１０に形成された第３の収納部１３と、を備えて概略構成されている。交換用電池３は、車両の携帯機に使用される電池の厚みの半分の厚みを有し、スペーサー３と重ね合わせることで、車両の携帯機に使用される電池の厚みとなるように構成されている。【選択図】図１
2010059698.tif 000002
【特許請求の範囲】
【請求項１】
カード形状を有する本体と、
前記本体に設けられ、車両の鍵を収納する鍵収納部と、
前記鍵収納部に設けられ、収納された前記鍵を前記鍵収納部内に保持する第１の保持部と、
前記本体に設けられ、前記車両の携帯機に使用される電池に対して厚みが薄い交換用電池を収納する電池収納部と、
前記電池収納部に設けられ、収納された前記交換用電池を前記電池収納部内に保持する第２の保持部と、
前記本体に設けられ、前記交換用電池と重ね合わせることで前記車両の携帯機に使用される前記電池と同じ厚みとなる導電性を有する導電性部材を収納する導電性部材収納部と、
前記導電性部材収納部に設けられ、収納された前記導電性部材を前記導電性部材収納部内に保持する第３の保持部と、
を備えたカード型収納ケース。
【請求項２】
前記鍵収納部、前記電池収納部及び前記導電性部材収納部は、収納される前記鍵、前記交換用電池、及び前記導電性部材に基づいてその厚みが定義され、
前記本体は、前記鍵収納部、前記電池収納部及び前記導電性部材収納部の前記厚みに基づいて薄く形成される請求項１に記載のカード型収納ケース。
【請求項３】
前記交換用電池は、円柱形状を有する正電極と、前記正電極の下側に絶縁部材を介して形成され、前記正電極の形状よりも小さく形成された円柱形状を有する負電極と、を備えたコイン型電池である請求項１に記載のカード型収納ケース。
【請求項４】
前記第２の保持部は、前記電池収納部の側面上部から突出して形成された少なくとも１つの上部凸部と、側面下部から突出して形成された少なくとも１つの下部凸部とを備え、
前記少なくとも１つの下部凸部は、その厚みが前記交換用電池の前記正電極と前記負電極とで形成された段差と略同一であり、前記段差を前記少なくとも１つの上部凸部と共に支持することで前記交換用電池を前記電池収納部に保持する請求項３に記載のカード型収納ケース。
【請求項５】
前記少なくとも１つの上部凸部は、前記交換用電池の上面部と側面部の間に形成された縁辺部を支持することで前記少なくとも１つの下部凸部と共に前記交換用電池を前記電池収納部に保持する請求項４に記載のカード型収納ケース。
【請求項６】
前記電池収納部は、側面部がテーパー形状となるように形成される請求項４に記載のカード型収納ケース。
【請求項７】
前記電池収納部は、上面部及び下面部の少なくとも１つの面側に前記交換用電池の放電を防止するシールが貼られる請求項１に記載のカード型収納ケース。
【請求項８】
前記シールは、その上面部に画像情報を有する請求項７に記載のカード型収納ケース。
【請求項９】
前記本体は、車両の携帯機用の工具を収納する工具収納部を有する請求項１に記載のカード型収納ケース。
【請求項１０】
カード形状を有する本体と、
前記本体に設けられ、車両の鍵を収納する鍵収納部と、
前記鍵収納部に設けられ、収納された前記鍵を前記鍵収納部内に保持する第１の保持部と、
前記本体に設けられ、前記車両の携帯機に使用される電池に対して厚みが薄い交換用電池を収納する電池収納部と、
前記電池収納部に設けられ、収納された前記交換用電池の上面部及び側面部に形成された縁辺部と前記交換用電池の前記正電極及び前記負電極の間の段差とを支持することで前記交換用電池を前記電池収納部内に保持する第２の保持部と、
前記本体に設けられ、前記交換用電池と重ね合わせることで前記車両の携帯機に使用される前記電池と同じ厚みとなる導電性を有する導電性部材を収納する導電性部材収納部と、
前記導電性部材収納部に設けられ、収納された前記導電性部材を前記導電性部材収納部内に保持する第３の保持部と、
を備えたカード型収納ケース。
【発明の詳細な説明】
【技術分野】
【０００１】
本発明は、カード型収納ケースに関する。
【背景技術】
【０００２】
従来の技術として、車両の予備キーであり、把持部にトランスポンダ等の電子部品を有し、二股状に形成された基部と把持部とを嵌め合って形成されるキーと、板状に形成されたカード本体と、キーの形状に基づいてカード本体に形成された収納孔を有するカード型予備キー装置が知られている（例えば、特許文献１参照）。
【０００３】
このカード型予備キー装置によると、ユーザは、収納孔にキーを収納し、携帯することができる。
【特許文献１】特開平１０−３１７７４３号公報
【発明の開示】
【発明が解決しようとする課題】
【０００４】
しかし、従来のカード型予備キー装置は、把持部に設けられた電子部品の厚みのため、薄型化するのに限界があった。また、例えば、カード型予備キー装置は、機械式キーのみを収納孔に収納する構成としたとき、薄型化することはできるが、携帯機の電池切れによる機械式キーの使用においては、車両に対する操作に制限があるため、不便であった。
【０００５】
従って本発明の目的は、薄型化することで携帯性が良く、また、携帯機の交換用電池を収納することができるカード型収納ケースを提供することにある。
【課題を解決するための手段】
【０００６】
（１）本発明は上記目的を達成するため、カード形状を有する本体と、前記本体に設けられ、車両の鍵を収納する鍵収納部と、前記鍵収納部に設けられ、収納された前記鍵を前記鍵収納部内に保持する第１の保持部と、前記本体に設けられ、前記車両の携帯機に使用される電池に対して厚みが薄い交換用電池を収納する電池収納部と、前記電池収納部に設けられ、収納された前記交換用電池を前記電池収納部内に保持する第２の保持部と、前記本体に設けられ、前記交換用電池と重ね合わせることで前記車両の携帯機に使用される前記電池と同じ厚みとなる導電性を有する導電性部材を収納する導電性部材収納部と、前記導電性部材収納部に設けられ、収納された前記導電性部材を前記導電性部材収納部内に保持する第３の保持部と、を備えたカード型収納ケースを提供する。
【０００７】
（２）本発明は上記目的を達成するため、前記鍵収納部、前記電池収納部及び前記導電性部材収納部は、収納される前記鍵、前記交換用電池、及び前記導電性部材に基づいてその厚みが定義され、前記本体は、前記鍵収納部、前記電池収納部及び前記導電性部材収納部の前記厚みに基づいて薄く形成される前記（１）に記載のカード型収納ケースを提供する。
【０００８】
（３）本発明は上記目的を達成するため、前記交換用電池は、円柱形状を有する正電極と、前記正電極の下側に絶縁部材を介して形成され、前記正電極の形状よりも小さく形成された円柱形状を有する負電極と、を備えたコイン型電池である前記（１）に記載のカード型収納ケースを提供する。
【０００９】
（４）本発明は上記目的を達成するため、前記第２の保持部は、前記電池収納部の側面上部から突出して形成された少なくとも１つの上部凸部と、側面下部から突出して形成された少なくとも１つの下部凸部とを備え、前記少なくとも１つの下部凸部は、その厚みが前記交換用電池の前記正電極と前記負電極とで形成された段差と略同一であり、前記段差を前記少なくとも１つの上部凸部と共に支持することで前記交換用電池を前記電池収納部に保持する前記（３）に記載のカード型収納ケースを提供する。
【００１０】
（５）本発明は上記目的を達成するため、前記少なくとも１つの上部凸部は、前記交換用電池の上面部と側面部の間に形成された縁辺部を支持することで前記少なくとも１つの下部凸部と共に前記交換用電池を前記電池収納部に保持する前記（４）に記載のカード型収納ケースを提供する。
【００１１】
（６）本発明は上記目的を達成するため、前記電池収納部は、側面部がテーパー形状となるように形成される前記（４）に記載のカード型収納ケースを提供する。
【００１２】
（７）本発明は上記目的を達成するため、前記電池収納部は、上面部及び下面部の少なくとも１つの面側に前記交換用電池の放電を防止するシールが貼られる前記（１）に記載のカード型収納ケースを提供する。
【００１３】
（８）本発明は上記目的を達成するため、前記シールは、その上面部に画像情報を有する前記（７）に記載のカード型収納ケースを提供する。
【００１４】
（９）本発明は上記目的を達成するため、前記本体は、車両の携帯機用の工具を収納する工具収納部を有する前記（１）に記載のカード型収納ケースを提供する。
【００１５】
（１０）本発明は上記目的を達成するため、カード形状を有する本体と、前記本体に設けられ、車両の鍵を収納する鍵収納部と、前記鍵収納部に設けられ、収納された前記鍵を前記鍵収納部内に保持する第１の保持部と、前記本体に設けられ、前記車両の携帯機に使用される電池に対して厚みが薄い交換用電池を収納する電池収納部と、前記電池収納部に設けられ、収納された前記交換用電池の上面部及び側面部に形成された縁辺部と前記交換用電池の前記正電極及び前記負電極の間の段差とを支持することで前記交換用電池を前記電池収納部内に保持する第２の保持部と、前記本体に設けられ、前記交換用電池と重ね合わせることで前記車両の携帯機に使用される前記電池と同じ厚みとなる導電性を有する導電性部材を収納する導電性部材収納部と、前記導電性部材収納部に設けられ、収納された前記導電性部材を前記導電性部材収納部内に保持する第３の保持部と、を備えたカード型収納ケースを提供する。
【発明の効果】
【００１６】
このような発明によれば、薄型化することで携帯性が良く、また、携帯機の交換用電池を収納することができる。
【発明を実施するための最良の形態】
【００１７】
以下に、本発明のカード型収納ケースの実施の形態を図面を参考にして詳細に説明する。
【００１８】
[第１の実施の形態]
（カード型収納ケースの構成）
図１は、本発明の第１の実施の形態に係るカード型収納ケースの斜視図である。このカード型収納ケース１は、一例として、車両の予備の鍵であるエマージェンシーキー２を収納することができるケースであり、例えばクレジットカードと同様の板形状、すなわちカード形状を有し、財布等の中に収納して携帯することを目的としている。また後述する車両の携帯機とは、一例として、電池を内蔵し、無線によって車両のドアの開閉、エンジンの始動・停止等を操作することができるものである。
【００１９】
カード型収納ケース１は、図１に示すように、樹脂によって形成され、全体に曲面が形成された本体１０と、交換用電池３の形状に基づいて本体１０に形成された第１の収納部（電池収納部）１１と、スペーサー（導電性部材）４の形状に基づいて本体１０に形成された第２の収納部（導電性部材収納部）１２と、エマージェンシーキー（鍵）２の形状に基づいて本体１０に形成された第３の収納部（鍵収納部）１３と、を備えて概略構成されている。
【００２０】
本体１０は、薄型化するため、第１〜第３の収納部１１〜１３の厚みに基づいて曲面が本体１０の表面に形成されている。
【００２１】
（第１の収納部の構成）
図２（ａ）は、本発明の第１の実施の形態に係るカード型収納ケースの平面図であり、（ｂ）は、側面図であり、図３（ａ）は、本発明の第１の実施の形態に係る図２のＡ−Ａ線断面図であり、（ｂ）は、図２のＢ−Ｂ線断面図であり、（ｃ）は、図２のＣ−Ｃ線断面図である。図３（ａ）〜（ｃ）は、各収納部に収納対象物、すなわち、エマージェンシーキー２、交換用電池３及びスペーサー４を収納した状態における断面図を示している。
【００２２】
第１の収納部１１は、一例として、交換用電池３を収納するために本体１０に形成されており、交換用電池３は、略円柱形状を有するコイン型電池と呼ばれる電池であり、図３（ａ）に示すように、上部に円柱形状を有する正電極３０、図示しない絶縁部材を介して下部に正電極３０よりも半径の小さい円柱形状を有する負電極３１が形成されている。
【００２３】
また、交換用電池３は、上面部と側面部の間に形成された縁辺部、言い換えるなら、正電極３０の上面部と側面部の間に曲面が形成されている。
【００２４】
第１の収納部１１は、図２（ａ）に示すように、第１の収納部１１の互いに対向する側面上部に設けられた第１〜第４の突起部（第２の保持部：上部凸部）１１０〜１１３と、略円形状を有して第１の収納部１１の側面下部に設けられ、後述する交換用電池３の形状に基づいて中央に挿入開口１１６を有する円形突起部（第２の保持部：下部凸部）１１４と、交換用電池３の形状に基づいて形成された略円柱形状を有する開口１１５と、を備えて概略構成されている。
【００２５】
第１〜第４の突起部１１０〜１１３は、図３（ａ）に示すように、第１の収納部１１の側面上部から中央に向けて突出し、側面下部に設けられた円形突起部１１４と共に収納された交換用電池３を挟み込むようにして保持し、また、第１の収納部１１の厚みが薄くなるように構成されている。なお、第１〜第４の突起部１１０〜１１３の個数、及び形状は、これに限定されず、交換用電池３を挿入、保持することができる形状であれば良い。
【００２６】
円形突起部１１４は、略円形状を有し、中央に挿入開口１１６が形成され、交換用電池３の正電極３０と負電極３１とで形成された段差と同じ厚みを有している。この挿入開口１１６は、交換用電池３の負電極３１の形状に基づいて形成され、図３（ａ）に示すように、挿入開口１１６内に負電極３１が嵌まり込む、すなわち、円形突起部１１４は、正電極３０と負電極３１とで形成された段差を支持するように構成されている。言い換えるなら、第１〜第４の突起部１１０〜１１３は、円形突起部１１４と共に正電極３０を挟み込むことによって交換用電池３を保持する。
【００２７】
また円形突起部１１４は、第１〜第４の突起部１１０〜１１３に対応する位置に開口を有している。この第１〜第４の突起部１１０〜１１３に対応する開口は、本体１０を射出形成によって製作するとき、必要となる開口である。第２の収納部１２に設けられた円形突起部１２４の突起部に対応する開口は、同様の理由により形成されている。なお、円形突起部１１４の形状は、これに限定されず、交換用電池３を突起部と共に保持する形状であれば良い。
【００２８】
（第２の収納部の構成）
第２の収納部１２は、スペーサー４を収納するために本体１０に形成されており、スペーサー４は、一例として交換用電池３と同じ形状を有する導電性部材から構成されている。
【００２９】
第２の収納部１２は、スペーサー４と交換用電池３とが同じ形状を有することから、第１の収納部１１と同じ構成を備えることとなる。すなわち、第２の収納部１２の第１〜第４の突起部１２０〜１２３は、第１の収納部１１の第１〜第４の突起部１１０〜１１３と同じ形状を有し、第２の収納部１２の円形突起部１２４は、第１の収納部１１の円形突起部１１４と同じ形状を有することとなる。
【００３０】
また第２の収納部１２は、交換用電池３とスペーサー４の形状が異なるとき、スペーサー４に基づいて第１〜第４の突起部１２０〜１２３、円形突起部１２４、開口１２５及び挿入開口１２６が形成される。
【００３１】
（第３の収納部の構成）
第３の収納部１３は、エマージェンシーキー２を収納するように構成されている。エマージェンシーキー２は、機械式キーであり、一例として、車両のドアやイグニッション等に設けられているキーシリンダに挿入して使用する。エマージェンシーキー２は、一例として、車両が有する認証情報と照合するために溝として形成された認証情報を有し、この２つの認証情報が一致することによって車両を操作することができるように構成され、通常の車両の鍵よりも薄く、また小さく作ることができる。
【００３２】
またエマージェンシーキー２は、一例として、携帯機が電池切れを起した場合等に使用するものであるので、その操作可能な車両の機能には制限が設けられている。
【００３３】
第３の収納部１３は、図２（ａ）に示すように、エマージェンシーキー２を把持する部分に相当する位置に設けられた第１〜第３の突起部（第１の保持部）１３０〜１３２と、エマージェンシーキー２の先端部分に相当する位置に設けられた第４〜第６の突起部（第１の保持部）１３３〜１３５とを備えて概略構成されている。
【００３４】
第２及び第５の突起部１３１、１３４は、第３の収納部１３の側面上部から突出し、第１、第３、第４及び第６の突起部１３０、１３２、１３３、１３５は、第３の収納部１３の側面下部から突出し、図３（ｃ）に示すように、収納されたエマージェンシーキー２を挟み込むようにして保持し、第３の収納部１３の厚みを薄くするように構成されている。
【００３５】
（動作）
以下に、本実施の形態におけるカード型収納ケースに関する動作を各図を参照して詳細に説明する。
【００３６】
（交換用電池の収納動作について）
ユーザは、交換用電池３の負電極３１側を本体１０の上部に向け、交換用電池３の位置を開口１１５に合わせ、本体１０の上部から下部方向に力を交換用電池３に付加する。
【００３７】
交換用電池３の正電極３０の下部は、力が付加されることによって、第１〜第４の突起部１１０〜１１３を本体１０の下部方向に押し下げ、交換用電池３の負電極３１が円形突起部１１４の挿入開口１１６に挿入され、第１の収納部１１に交換用電池３が収納されたとき、第１〜第４の突起部１１０〜１１３は、本体１０の上部方向に復元力が働き、交換用電池３が収納される前の状態に戻る。
【００３８】
第１の収納部１１は、図３（ａ）に示すように、第１〜第４の突起部１１０〜１１３と円形突起部１１４とによって交換用電池３を挟み込んで保持する。
【００３９】
（交換用電池の取出動作について）
【００４０】
ユーザは、第１の収納部１１に収納されている交換用電池３の負電極３１に対して本体１０の下部から上部方向の力を付加する。
【００４１】
第１〜第４の突起部１１０〜１１３は、交換用電池３の上部によって本体１０の下部側から上部側方向の力が付加され、本体１０の上部方向に弾性変形を行うことで形成された開口が交換用電池３よりも大きくなり、ユーザは、交換用電池３を第１の収納部１１から取り出すことができる。
【００４２】
なお、スペーサー４の収納及び取出動作は、交換用電池３の収納及び取出動作と同様に行われる。
【００４３】
（エマージェンシーキーの収納動作について）
ユーザは、エマージェンシーキー２の下部側を第３の収納部１３の上部に向け、エマージェンシーキー２の位置を開口１３６に合わせ、本体１０の上部から下部方向に力をエマージェンシーキー２に付加する。
【００４４】
エマージェンシーキー２の下部は、力が付加されることによって、第２及び第５の突起部１３１、１３４を本体１０の下部方向に押し下げ、エマージェンシーキー２が第３の収納部１３に収納されたとき、第２及び第５の突起部１３１、１３４は、本体１０の上部方向に復元力が働き、エマージェンシーキー２が収納される前の状態に戻る。
【００４５】
第４の収納部１３は、図３（ｃ）に示すように、第１、第３、第４及び第６の突起部１３０、１３２、１３３、１３５と第２及び第５の突起部１３１、１３４とによってエマージェンシーキー２を挟み込んで保持する。
【００４６】
（エマージェンシーキーの取出動作について）
【００４７】
ユーザは、本体１０の下部から開口１３６に指を挿入し、収納されているエマージェンシーキー２の下部に対して本体１０の上部方向に力を付加する。
【００４８】
第２及び第５の突起部１３１、１３４は、エマージェンシーキー２の上部によって本体１０の下部側から上部側方向の力が付加され、第２及び第５の突起部１３１、１３４が本体１０の上部方向に弾性変形を行うことで、ユーザは、エマージェンシーキー２を第３の収納部１３から取り出すことができる。
【００４９】
（携帯機の電池交換動作について）
図４は、本発明の第１の実施の形態に係る携帯機の電池収納部に関する概略図である。図４に示す電池収納部５０は、図示しない携帯機に設けられ、正電極側である第１のターミナル５１と、負電極側である第２のターミナル５２とを備えている。
【００５０】
ユーザは、カード型収納ケース１より、交換用電池３とスペーサー４を上記の動作を経て取り出す。携帯機に使用される電池は、交換用電池３よりも厚い電池が使用されているが、図４に示すように、交換用電池３の厚みＷ２、及びスペーサー４の厚みＷ３を加算した値が携帯機に使用される電池と同じ厚みとなるので、交換用電池３とスペーサー４を重ね合わせて電池収納部５０に収納する。
【００５１】
カード型収納ケース１は、交換用電池３とスペーサー４とを重ね合わせた厚みを携帯機に使用される電池の厚みとすることで、一例として、交換用電池３の厚みを半分にすることが可能となり、交換用電池３を収納する第１の収納部１１の厚みを薄くすることができる。
【００５２】
カード型収納ケース１は、図２（ｂ）に示すように、最大の厚みＷ１をエマージェンシーキー２の厚みに近い値とすることができる。言い換えるなら、本体１０は、図２（ｂ）に示すように、エマージェンシーキー２が収納される第３の収納部１３付近が最も厚く、また、交換用電池３及びスペーサー４が収納される第１及び第２の収納部１１、１２付近を交換用電池３及びスペーサー４の厚みに合わせて薄くすることができ、さらに本体１０の全体を曲面とすることによって、カード型収納ケース１は、財布等に収納し易い形状となっている。なお、本体１０は、少なくとも１つの面に曲面が形成されて、薄型化されても良い。
【００５３】
（第１の実施の形態の効果）
（１）上記した第１の実施の形態におけるカード型収納ケース１によれば、本体１０にエマージェンシーキー２と交換用電池３とスペーサー４を収納することができる。
【００５４】
（２）上記した第１の実施の形態におけるカード型収納ケース１によれば、本体１０の少なくとも１つの面が曲面であるので、カード型収納ケース１を財布等に収納し易い。
【００５５】
（３）上記した第１の実施の形態におけるカード型収納ケース１によれば、収納対象物を収納し、確実に保持することができる。
【００５６】
（４）上記した第１の実施の形態におけるカード型収納ケース１によれば、第３の収納部１３に車両の予備の鍵であるエマージェンシーキー２を収納することができるので、車両の携帯機の電池切れ等が発生しても、車両を操作することができる。
【００５７】
（５）上記した第１の実施の形態におけるカード型収納ケース１によれば、第１及び第２の収納部１１、１２は、第１〜第４の突起部１１０〜１１３と円形突起部１１４、及び第１〜第４の突起部１２０〜１２３と円形突起部１２４によって交換用電池３及びスペーサー４を挟むようにして保持することができる。
【００５８】
（６）上記した第１の実施の形態におけるカード型収納ケース１によれば、第１及び第２の収納部１１、１２は、車両の携帯機の交換用の交換用電池として交換用電池３及びスペーサー４を収納することができるので、携帯機が電池切れを起こしたとき、電池を交換することができる。
【００５９】
（７）上記した第１の実施の形態におけるカード型収納ケース１によれば、第１の収納部１１は、交換用電池３の負電極３１が挿入開口１１６に挿入されるので、本体１０の厚みをより薄くすることができる。
【００６０】
（８）上記した第１の実施の形態におけるカード型収納ケース１によれば、エマージェンシーキー２、交換用電池３、及びスペーサー４を収納し、携帯することができるので、車両の携帯機の電池切れが発生したとき、速やかに電池を交換することができる。
【００６１】
（９）上記した第１の実施の形態におけるカード型収納ケース１によれば、本体１０を覆う上下カバーを必要としないので、より薄型化することができる。
【００６２】
（１０）上記した第１の実施の形態におけるカード型収納ケース１によれば、第１〜第３の収納部１１〜１３は、挿入開口１１６、１２６、開口１３６を有しているので、本体１０の下部から力を付加することで、収納された収納対象物を取り出し易い。
【００６３】
（１１）上記した第１の実施の形態におけるカード型収納ケース１によれば、ユーザがエマージェンシーキー２を携帯することができるので、車両の携帯機にエマージェンシーキー２を収納する必要がなくなり、車両の携帯機のデザインの自由度が向上する。
【００６４】
[第２の実施の形態]
（カード型収納ケースの構成）
図５（ａ）は、本発明の第２の実施の形態に係る交換用電池を収納する前の第１の収納部の拡大図であり、（ｂ）は、交換用電池を収納した後の第１の収納部の拡大図である。以下に記載する各実施の形態において第１の実施の形態と同様の構成及び機能を有する部分については、第１の実施の形態と同じ符号を付し、その説明を省略するものとする。また、以下に記載する各実施の形態において、第１の収納部に関する構成、及び動作を記載するが、第２の収納部について同様の構成を有するものとし、さらに、他の収納部については、第１の実施の形態と同様の構成を有するものとするので、これらの説明は省略する。
【００６５】
本実施の形態におけるカード型収納ケース１Ａは、第１の実施の形態における第１〜第４の突起部１１０〜１１３に代えて電池保持部１１７が、第１の収納部１１Ａの開口１１５Ａの縁辺部全体に形成されている。
【００６６】
この電池保持部１１７は、図５（ａ）に示すように、開口１１５Ａ内に曲面を有するように開口１１５Ａの側面部より突出して形成されている。この曲面は、交換用電池３の上面部の縁辺部３２の形状に基づいて形成されている。
【００６７】
（交換用電池の収納動作について）
ユーザは、交換用電池３の負電極３１側を本体１０Ａの上部に向け、交換用電池３の位置を開口１１５Ａに合わせ、本体１０Ａの上部から下部方向の力を交換用電池３に付加する。
【００６８】
交換用電池３の正電極３０の下部は、力が付加されることによって、電池保持部１１７を本体１０Ａの横方向及び下方向に弾性変形を行わせ、第１の収納部１１Ａに収納される。
【００６９】
交換用電池３は、第１の収納部１１Ａに収納されたとき、図５（ｂ）に示すように、交換用電池３は、円形突起部１１４と電池保持部１１７とによって挟まれ、保持される。
【００７０】
（交換用電池の取出動作について）
【００７１】
ユーザは、第１の収納部１１Ａに収納されている交換用電池３の負電極３１に対して本体１０Ａの下部側から上部方向の力を付加する。
【００７２】
電池保持部１１７は、交換用電池３の上部によって本体１０Ａの下部側から上部側方向の力が付加され、本体１０の上部方向に弾性変形を行う。
【００７３】
交換用電池３は、本体１０Ａの上部方向への変位に基づいて電池保持部１１７によって形成される開口が交換用電池３よりも大きくなり、ユーザは、交換用電池３を第１の収納部１１Ａから取り出すことができる。
【００７４】
電池保持部１１７は、交換用電池３が取り出された後、弾性変形を行っていた状態から図５（ａ）に示す状態に復元する。
【００７５】
（第２の実施の形態の効果）
（１）上記した第２の実施の形態におけるカード型収納ケース１Ａによれば、第１の収納部１１Ａに交換用電池３の縁辺部３２の形状に基づいた電池保持部１１７を形成することによって、交換用電池３の厚みと本体１０Ａの厚みを略同一とすることができるので、より薄型化することができる。
【００７６】
[第３の実施の形態]
（カード型収納ケースの構成）
図６（ａ）は、本発明の第３の実施の形態に係る交換用電池を収納する前の第１の収納部の拡大図であり、（ｂ）は、交換用電池を収納した後の第１の収納部の拡大図である。
【００７７】
本実施の形態におけるカード型収納ケース１Ｂの第１の収納部１１Ｂは、図６（ａ）に示すように、側面部にテーパー部１１８が形成されている。
【００７８】
テーパー部１１８は、図６（ａ）に示すように、円錐形状に形成された開口１１５Ｂの側面部であり、側面部全体に渡って形成されている。また、その上部には、図６（ｂ）に示すように、交換用電池３の縁辺部３２の形状に基づいた電池保持部１１７が、開口１１５Ｂの全体に渡って形成されている。
【００７９】
（交換用電池の収納動作について）
ユーザは、交換用電池３の負電極３１側を本体１０Ｂの上部に向け、交換用電池３の位置を開口１１５Ｂに合わせ、本体１０Ｂの上部から下部方向の力を交換用電池３に付加する。
【００８０】
交換用電池３の正電極３０の下部は、力が付加されることによって、電池保持部１１７を本体１０Ｂの横方向及び下方向に弾性変形を行わせ、さらに、テーパー部１１８に接しながら本体１０Ｂの横方向にテーパー部１１８を押し広げる。
【００８１】
交換用電池３は、第１の収納部１１Ｂに収納されたとき、図６（ｂ）に示すように、テーパー部１１８は、その弾性力によって交換用電池３の側面に接し、さらに、交換用電池３は、円形突起部１１４と電池保持部１１７とによって挟まれ、保持される。つまり、交換用電池３は、テーパー部１１８によっても支持され、より確実に第１の収納部１１Ｂ内に保持される。
【００８２】
（交換用電池の取出動作について）
【００８３】
ユーザは、第１の収納部１１Ｂに収納されている交換用電池３の負電極３１に対して本体１０Ｂの下部側から上部方向の力を付加する。
【００８４】
電池保持部１１７は、交換用電池３の上部によって本体１０Ｂの下部側から上部側方向の力が付加され、本体１０Ｂの上部方向に弾性変形を行い、また、テーパー部１１８は、交換用電池３の上部方向への移動に伴って、弾性変形を行っていた状態から図６（ａ）に示す状態に復元する。
【００８５】
交換用電池３は、本体１０Ｂの上部方向への変位に基づいて電池保持部１１７によって形成される開口が交換用電池３よりも大きくなり、ユーザは、交換用電池３を第１の収納部１１Ｂから取り出すことができる。
【００８６】
（第３の実施の形態の効果）
（１）上記した第３の実施の形態におけるカード型収納ケース１Ａによれば、第１の収納部１１Ｂにテーパー部１１８を形成することによって、より確実に交換用電池３を第１の収納部１１Ｂに保持することができる。
【００８７】
[第４の実施の形態]
（カード型収納ケースの構成）
図７は、本発明の第４の実施の形態に係るカード型収納ケースの斜視図である。本実施の形態におけるカード型収納ケース１Ｃは、上記の第１〜第３の実施の形態と比べて、図７に示すように、携帯機用の工具としてのオープナー５を収納する第４の収納部１４と、交換用電池３の上部、つまり正電極側に貼られるシール６と、を備えている。
【００８８】
（第４の収納部の構成）
第４の収納部１４は、一例として、オープナー５を収納するように構成されている。オープナー５とは、一例として、車両の携帯機の電池を交換する際、電池ボックスの蓋を開けるときに使用する工具であり、一例として、蓋の中央に配置されたねじに形成された溝にオープナー５の側面を挿入し、ねじを回転させることによって蓋が開くように構成されている。なお、携帯機の蓋を開ける方法は、これに限定されず、蓋を開ける際に必要な工具をその工具に基づいた形状の収納部を本体１０に形成し、工具を収納するようにカード型収納ケース１Ｃを構成しても良い。
【００８９】
第４の収納部１４は、図７に示すように、オープナー５の形状に基づいて形成された略円柱形状の開口１４３を有し、第４の収納部１４の側面上部に設けられた第１及び第２の突起部１４０、１４１と、第４の収納部１４の側面下部に設けられ、オープナー５の形状に基づいて形成され、中央に挿入開口１４４を有する円形突起部１４２と、を備えて概略構成されている。なお、第４の収納部１４は、他の収納部と同様に、第１の突起部１４０に対向する第４の収納部１４の側面上部に図示しない第３の突起部を有し、第２の突起部１４１に対向する第４の収納部１４の側面上部に図示しない第４の突起部を有して構成されているものとする。
【００９０】
第１及び第２の突起部１４０、１４１と第３及び第４の突起部は、図７に示すように、第４の収納部１４の側面上部から中央に向けて突出し、側面下部に設けられた円形突起部１４２と共に、収納されたオープナー５を挟み込むようにして保持し、また、第４の収納部１４の厚みが薄くなるように構成されている。
【００９１】
（シールについて）
このシール６は、一例として、防水機能を有し、また、上部に画像情報が表示されている。画像情報とは、一例として、文字群であり、文字群は、携帯機の電池交換の方法やエマージェンシーキー２の使用方法について表している。
【００９２】
また、シール６は、交換用電池３の放電を抑制することができる。なお、シール６は、交換用電池３の正電極側及び負電極側の両面に貼られても良い。
【００９３】
（オープナーの収納動作について）
ユーザは、オープナー５の下部側を第４の収納部１４の上部に向け、オープナー５の位置を開口１４３に合わせ、本体１０の上部から下部方向に力をオープナー５に付加する。
【００９４】
オープナー５の下部は、力が付加されることによって、第１及び第２の突起部１４０、１４１、第３及び第４の突起部を本体１０の下部方向に押し下げ、オープナー５が第４の収納部１４に収納されたとき、第１及び第２の突起部１４０、１４１、第３及び第４の突起部は、本体１０の上部方向に復元力が働き、オープナー５が収納される前の状態に戻る。
【００９５】
第４の収納部１４は、図７に示すように、第１及び第２の突起部１４０、１４１と第３及び第４の突起部と円形突起部１４２とによってオープナー５を挟み込んで保持する。
【００９６】
（オープナーの取出動作について）
【００９７】
ユーザは、挿入開口１４４内に指を挿入し、収納されているオープナー５の下部に対して本体１０の上部方向に力を付加する。
【００９８】
第１及び第２の突起部１４０、１４１と第３及び第４の突起部は、オープナー５の上部によって本体１０の下部側から上部側方向の力が付加され、第１及び第２の突起部１４０、１４１と第３及び第４の突起部が本体１０の上部方向に弾性変形を行うことで形成された開口がオープナー５よりも大きくなり、ユーザは、オープナー５を第４の収納部１４から取り出すことができる。
【００９９】
（第４の実施の形態の効果）
（１）上記した第４の実施の形態におけるカード型収納ケース１Ｃによれば、本体１０にエマージェンシーキー２、交換用電池３、スペーサー４及びオープナー５を収納することができる。
【０１００】
（２）上記した第４の実施の形態におけるカード型収納ケース１Ｃによれば、交換用電池３の放電を抑制することができる。
【０１０１】
（３）上記した第４の実施の形態におけるカード型収納ケース１Ｃによれば、シール６に画像情報を表示することができるので、エマージェンシーキー２の使用方法等の情報を表示することができ、ユーザの利便性が向上する。
【０１０２】
（４）上記した第４の実施の形態におけるカード型収納ケース１Ｃによれば、第４の収納部１４は、車両の携帯機の電池交換の際に使用する工具であるオープナー５を収納することができるので、電池の交換を容易に行うことができる。
【０１０３】
（５）上記した第４の実施の形態におけるカード型収納ケース１Ｃによれば、エマージェンシーキー２、交換用電池３、スペーサー４及びオープナー５を収納し、携帯することができるので、車両の携帯機の電池切れが発生したとき、速やかに電池を交換することができる。
【０１０４】
（他の実施の形態について）
上記した実施の形態において、交換用電池３の負電極３１は、挿入開口１１６内に収納されたが、本体をさらに薄型化するため、負電極３１が本体の外に僅かに出るよう構成しても良く、同様にスペーサー４の下部を本体の外に僅かに出るように構成しても良い。
【０１０５】
また、交換用電池３の厚みＷ２は、携帯機に使用される電池の半分の薄さに限定されず、交換用電池３とスペーサー４を重ねた厚み（＝Ｗ２＋Ｗ３）が、携帯機に使用される電池と同じ厚みとなれば良い。よってスペーサー４の形状は、上記に限定されず、第１のターミナル５１と第２のターミナル５２の間に挟まれ、接触した状態で、第１のターミナル５１、交換用電池３、スペーサー４、及び第２のターミナル５２に電流が伝播すれば、その形状は問わない。
【０１０６】
なお、本発明は、上記した実施の形態に限定されず、本発明の技術思想を逸脱あるいは変更しない範囲内で種々の変形、例えば各実施の形態の組合せが可能である。
【図面の簡単な説明】
【０１０７】
【図１】本発明の第１の実施の形態に係るカード型収納ケースの斜視図である。
【図２】（ａ）は、本発明の第１の実施の形態に係るカード型収納ケースの平面図であり、（ｂ）は、側面図である。
【図３】（ａ）は、本発明の第１の実施の形態に係る図２のＡ−Ａ線断面図であり、（ｂ）は、図２のＢ−Ｂ線断面図であり、（ｃ）は、図２のＣ−Ｃ線断面図である。
【図４】本発明の第１の実施の形態に係る携帯機の電池収納部に関する概略図である。
【図５】（ａ）は、本発明の第２の実施の形態に係る交換用電池を収納する前の第１の収納部の拡大図であり、（ｂ）は、交換用電池を収納した後の第１の収納部の拡大図である。
【図６】（ａ）は、本発明の第３の実施の形態に係る交換用電池を収納する前の第１の収納部の拡大図であり、（ｂ）は、交換用電池を収納した後の第１の収納部の拡大図である。
【図７】本発明の第４の実施の形態に係るカード型収納ケースの斜視図である。
【符号の説明】
【０１０８】
１、１Ａ、１Ｂ…カード型収納ケース、２…エマージェンシーキー、３…交換用電池、４…スペーサー、５…オープナー、１０、１０Ａ、１０Ｂ…本体、１１〜１４…第１〜第４の収納部、１１Ａ、１１Ｂ…第１の収納部、３０…正電極、３１…負電極、３２…縁辺部、５０…電池収納部、５１…第１のターミナル、５２…第２のターミナル、１１０〜１１３…第１〜第４の突起部、１１４…円形突起部、１１５、１１５Ａ、１１５Ｂ…開口、１１６…挿入開口、１１７…電池保持部、１１８…テーパー部、１２０〜１２３…第１〜第４の突起部、１２４…円形突起部、１２５…開口、１２６…挿入開口、１３０〜１３５…第１〜第６の突起部、１３６…開口、１４０、１４１…第１及び第２の突起部、１４２…円形突起部、１４３…開口、１４４…挿入開口
【図１】
2010059698.tif 000003
【図２】
2010059698.tif 000004
【図３】
2010059698.tif 000005
【図４】
2010059698.tif 000006
【図５】
2010059698.tif 000007
【図６】
2010059698.tif 000008
【図７】
2010059698.tif 000009